(57)【要約】【課題】複数箇所からの自動監視画像を遠隔先制御手段に伝送し、その画像から自動的に生き物の活動状況を測定し、異常が設定された時間以上続いた時、自動で外的刺激を与えた後も異常が継続した場合、多数箇所宛に生き物の生存警報を通知し、全自動で監視を確実に行える生き物生存自動監視システムを提供する。【解決手段】複数のカメラ２からの画像データを通信手段５及び６で制御コンピュータ１に伝送し、取り込んだ画像の差分をとり画像間の変化量をもって生き物活動状況に定量的変換を行い、一定時間以上生き物活動状況が異常に減少等異常の場合、生存確認の為外的刺激手段３の作動を１より自動で信号指示開始し、さらに一定時間画像間の変化量を監視し活動の異常が継続した場合のみ、あらかじめ登録された多数箇所宛にメール及び画像配信し、生き物の生存警報を通知する機能を備えたものである。【選択図】　　図１
2004030548.tif 000002
【特許請求の範囲】
【請求項１】
ネットワークアドレスを付与した複数のカメラ２とカメラ２からの連続的または間欠的に画像データを直接通信手段５及び６に接続し、遠隔先制御コンピュータ１に伝送する、遠隔先制御コンピュータ１内に取り込んだ画像を順次差分をとり、画像間の変化量をもって生き物活動状況に定量的変換を行い、一定時間画像間の変化量を監視し生き物活動状況に異常の場合にのみ、あらかじめ登録された多数箇所宛８，９，１０にメール及び画像配信または状態画像をファクシミリ１１伝送し、生き物の生存警報を通知する機能プログラムを備えたことを特徴とする生き物生存自動監視システム。
【請求項２】
生存確認の為外的刺激手段を備え、設定された時間以上生き物活動状況が異常に減少・停止・測定エリア範囲からはずれた場合、遠隔コンピュータより自動で信号指示し、光・アクチュエータ等の作動を開始させることを特徴とする請求項１記載の生き物生存自動監視システム。
【発明の詳細な説明】
【０００１】
【発明の属する技術分野】本発明は、カメラ等の撮像手段で生き物の生存を活動状態の異常値で自動検出し、再度外的刺激手段で自動確認を行い、警報を瞬時に複数箇所にメール配信または画像ファクシミリ配信を行う生き物生存自動監視システムである。
【０００２】
【従来の技術】従来、生き物生存確認は監視カメラ等を用い、生き物の画像をモニターに映して人が目視にて確認し生き物の活動状態を判断していた。つまり人が常に監視する必要があった。
【０００３】さらに、特開平１１−９６４８１における自動監視システムは同一の撮像領域に相当するイメージデータ相互の相対的な変化を検出するだけで、活動状況の単発的な異常状態を警報発信しその都度人が確認し判断していた。
【０００４】
【発明が解決しようとする課題】従来の監視カメラは担当者が不在の時は生き物の生存確認ができなかった。
【０００５】特開平１１−９６４８１における自動監視システムにおいても、単発的異常状態での誤報が多発することになる。また、集音手段での異常音量での補間もあるが、生き物の場合無音の場合があり、生き物生存確認には適してないという欠点を持っていた。
【０００６】
【課題を解決するための手段】
上記課題を解決する為に、本発明はネットワークアドレスを付与した複数のカメラ２とカメラ２からの連続的または間欠的に画像データを直接通信手段５及び６に接続し、遠隔先制御コンピュータ１に伝送する、遠隔先制御コンピュータ１内に取り込んだ画像を順次差分をとり、画像間の変化量をもって生き物活動状況に定量的変換を行い、一定時間画像間の変化量を監視し生き物活動状況に異常の場合にのみあらかじめ登録された多数箇所８，９，１０宛にメール及び画像配信または状態画像をファクシミリ１１に伝送し生き物の生存警報を人の判断を経ず確実に通知する機能プログラムを備えたものである。
【０００７】さらに本発明に関わる生き物生存確認システムは、生存確認の為の外的刺激手段例えば発光装置３及びマイクとスピーカ１２を備え、設定された時間以上生き物活動状況が異常に減少・停止・測定エリア範囲からはずれた場合、遠隔制御手段例えばコンピュータより自動で信号指示し、光・アクチュエータ等の作動を開始させることにより再確認プロセスにより誤報の多発を防止することができる。
【０００８】
【作用】
これにより、任意の場所における監視または観測を連続的または間欠的で自動的にかつ確実に行うことができるとともに、任意の場所に異常または変化がある場合はそのことを複数の任意端末例えばパソコンまたは携帯端末への通知が瞬時に行うことができ、異常等への対応を複数人での対応を早期に行うことができる。
【０００９】
【発明の実施の形態】
実施の形態１．図１は本発明における水槽及び魚４を使用した水質監視における実施形態の構成を示す模式図である。図において１は例えばメールサーバーを兼ねた制御コンピュータで、生き物生存自動監視プログラムがインストールされている。２は例えばネットワークアドレスの付与された複数のネットワーク機能付カメラで、このカメラ２から画像をＬＡＮ回線５及びインターネット回線６を通して制御コンピュータ１に常時送信し、制御コンピュータ１内で画像を順次差分をとり、画像間の変化量をもって生き物活動状況に定量的変換を行い、一定時間画像間の変化量を監視し生き物活動状況が異常の場合にのみ、制御コンピュータ１から回線５及び６を通して、信号出力機能を有したカメラ２で発光装置３を遠隔地から自動で生存確認の為の外的刺激発光を与える。その後異常状態に変化がない場合にのみ、サーバー機能を備えた制御コンピュータは、あらかじめ登録された多数箇所宛８，９，１０にメール及び画像配信または異常状態画像をファクシミリ１１に伝送し、生き物の生存警報を人の判断を経ず遠隔地でも確実に通知する機能プログラムを備えたものである。
【００１０】実施の形態２．図２は本発明におけるカゴ及び鳥１３を使用した毒ガス監視における実施形態の構成を示す模式図である。図において１は例えばサーバーを兼ねた制御コンピュータで、生き物生存自動監視プログラムがインストールされている。２は例えばネットワークアドレスの付与された複数のネットワーク機能付カメラで、このカメラ２から画像をＬＡＮ回線５及びインターネット回線６を通して制御コンピュータ１に常時送信し、制御コンピュータ１内で画像を順次差分をとり、画像間の変化量をもって生き物活動状況に定量的変換を行い、一定時間画像間の変化量を監視し生き物活動状況に異常の場合またはマイク３での異常音声回数または音量の場合に、制御コンピュータから回線５及び６を通して信号出力機能を有したカメラ２でスピーカ１２を遠隔地から自動で生存確認の為の外的刺激音量を与える。その後異常状態に変化がない場合にのみ、メールサーバー機能を備えた制御コンピュータ１は、あらかじめ登録された多数箇所８，９，１０宛にメール及び画像配信または異常状態画像をファクシミリ１１に伝送し、生き物の生存警報を人の判断を経ず遠隔地でも確実に通知する機能プログラムを備えたものである。
【００１１】なお、上述の実施の形態１，２では毒物混入水質及び毒ガスの監視を行う場合を例示して説明したが、これに限定するものではなく、例えば養殖の生き物生存監視、老人の健常確認、ナマズ活発度観測、侵入者監視威嚇などを行う場合などにも適用することができる。
【００１２】
【発明の効果】
ネットワークアドレスを付与したカメラを使用することにより、複数場所における監視を１台の制御コンピュータで自動監視ができるため、回路コストの低減になる。また、画像差分の単発的な判断でない点と再度確認の為の外的刺激により、経時的判断で確実に異常状態を複数の人が同時に知ることができ、遠隔地から制御コンピュータに通信し実画像で異常状態を判断できる為、的確な対応が確実に迅速にとれる。
【図面の簡単な説明】
【図１】本発明における４水槽及び魚を使用した水質監視における実施形態の構成を示す模式図、
【図２】本発明における１２カゴ及び鳥を使用した毒ガス監視における実施形態の構成を示す模式図である。
【符号の説明】
１　制御コンピュータ
２　カメラ
３　発光装置
４　水槽及び魚
５　有線ＬＡＮ及び無線ＬＡＮ回線
６　ブロードバンドインターネット回線
７　インターネット
８　コンピュータ
９　ノートコンピュータ
１０携帯端末
１１ファクシミリ
１２マイク及びスピーカ
１３カゴ及び鳥
【図１】
2004030548.tif 000003
【図２】
2004030548.tif 000004